(57)【要約】【課題】  下枠上面を略フラットにしながら、障子の蛇行を防止できる建具の提供。【解決手段】  障子１ａ，１ｂと下枠２とを備え、障子１ａ，１ｂは下部に戸車３を有し、戸車３は外周に溝４を有するものであり、下枠２は、下枠上面２ａに設けた掘り込み部５と、掘り込み部５の室内側に位置し戸車３の溝４が係合するレール６と、レール６の室内側に位置し障子１ａ，１ｂの垂下片７を案内する垂下片案内溝８と、レール６の根元から垂下片案内溝８に向けて設けた水平片９を有し、レール６の上端が下枠上面２ａと略同じ高さであり、下枠２の水平片９と障子１ａ，１ｂの垂下片７との間、垂下片案内溝８の室内側壁２５と障子１ａ，１ｂの垂下片７との間にそれぞれ気密材１０ａ，１０ｂを有する。【選択図】      図１
2019127762.tif 000002
【特許請求の範囲】
【請求項１】
障子と下枠とを備え、障子は下部に戸車を有し、戸車は外周に溝を有するものであり、下枠は、下枠上面に設けた掘り込み部と、掘り込み部の室内側に位置し戸車の溝が係合するレールと、レールの室内側に位置し障子の垂下片を案内する垂下片案内溝と、レールの根元から垂下片案内溝に向けて設けた水平片を有し、レールの上端が下枠上面と略同じ高さであり、下枠の水平片と障子の垂下片との間、垂下片案内溝の室内側壁と障子の垂下片との間にそれぞれ気密材を有することを特徴とする建具。
【発明の詳細な説明】
【技術分野】
【０００１】
本発明は、下枠上面が略フラットな建具に関する。
【背景技術】
【０００２】
従来、障子下部に設けた垂下片を下枠上面の溝に挿入し、障子下部に設けた外周に溝の無い戸車でフラットな下枠上面を走行する建具があった（例えば、非特許文献１参照）。かかる従来の建具は、障子の開閉時に障子が蛇行する問題があった。
【先行技術文献】
【非特許文献】
【０００３】
【非特許文献１】三協立山アルミ株式会社発行のカタログ「後付樹脂内窓  プラメイク」（カタログＮｏ．ＳＴＪ０１３４Ｃ  Ｔ．１０．０３−０６０）、２０１０年３月、ｐ．１３−１４
【発明の概要】
【発明が解決しようとする課題】
【０００４】
本発明は以上に述べた実情に鑑み、下枠上面を略フラットにしながら、障子の蛇行を防止できる建具の提供を目的とする。
【課題を解決するための手段】
【０００５】
上記の課題を達成するために請求項１記載の発明による建具は、障子と下枠とを備え、障子は下部に戸車を有し、戸車は外周に溝を有するものであり、下枠は、下枠上面に設けた掘り込み部と、掘り込み部の室内側に位置し戸車の溝が係合するレールと、レールの室内側に位置し障子の垂下片を案内する垂下片案内溝と、レールの根元から垂下片案内溝に向けて設けた水平片を有し、レールの上端が下枠上面と略同じ高さであり、下枠の水平片と障子の垂下片との間、垂下片案内溝の室内側壁と障子の垂下片との間にそれぞれ気密材を有することを特徴とする。
【発明の効果】
【０００６】
請求項１記載の発明による建具は、下枠上面に設けた掘り込み部の室内側に戸車の溝が係合するレールを有し、レールの室内側に設けた垂下片案内溝に障子の垂下片を案内し、レールの上端を下枠上面と略同じ高さにしたので、下枠上面を略フラットにしながら、障子の蛇行を防止できる。レールの根元から垂下片案内溝に向けて水平片を有し、水平片と障子の垂下片との間、垂下片案内溝の室内側壁と障子の垂下片との間にそれぞれ気密材を有するので、気密性が優れている。掘り込み部がレールの室外側にしかないため、掃除が一層容易になる。
【図面の簡単な説明】
【０００７】
【図１】図２の建具の下枠側を拡大して示す縦断面図である。
【図２】本発明に係る建具の一実施形態を示す縦断面図である。
【図３】同建具の横断面図である。
【発明を実施するための形態】
【０００８】
以下、本発明の実施の形態を図面に基づいて説明する。図１〜３は、本発明に係る建具の一実施形態を示している。本建具は、図２，３に示すように、既設の窓（外窓）１１の屋内側に後付けされる内窓１２に適用したものである。本建具は、額縁等の造作材１３の内周側面に個々に取付けられる上枠１４、下枠２、及び左右の縦枠１５，１５と、上下枠１４，２間に引違い状に開閉自在に納めた外障子１ａ及び内障子１ｂとを備える。
上枠１４と下枠２と左右の縦枠１５，１５は、樹脂の押出形材で形成してある。外障子１ａ及び内障子２ｂは、樹脂の押出形材より成る上框１６と下框１７と戸先框１８と召合せ框１９を四周框組みし、その内側にガラス２０を嵌め込んで構成してある。下框１７には、図１に示すように、戸車３が取付けてあり、室内側に垂下片７を有している。戸車３は、外周に溝４を有するものとなっている。
【０００９】
下枠２は、図１に示すように、下枠上面２ａに設けた掘り込み部５と、掘り込み部５の室内側に位置し戸車３の溝４が係合するレール６と、レール６の室内側に位置し障子１ａ，１ｂの垂下片７を案内する垂下片案内溝８と、レール６の根元から垂下片案内溝８に向けて設けた水平片９を有し、レール６の上端が下枠上面２ａと同じ高さとなっており、下枠上面２ａが略フラットになっている。戸車３は、溝４の外周側端４ａが下枠上面２ａより低い位置にあって、且つ掘り込み部５の底壁２１から離れている。掘り込み部５とレール６と垂下片案内溝８と水平片９は、外障子１ａ用と内障子１ｂ用にそれぞれ設けてある。
【００１０】
掘り込み部５は、底壁２１の下枠上面２ａからの深さが２ｍｍで、室外側の壁２２が室外側に向かって斜め４５°で上向きに傾斜している。これにより掘り込み部５は、上に向かうにつれて見込方向の幅が広くなっている。
レール６は、高さが２ｍｍ、見込方向の幅が３ｍｍとなっており、室外側及び室内側の角をＲ状に面取りしてある。
垂下片案内溝８は、室外側壁２３と底壁２４と室内側壁２５とで、上面が開口したコ字形に形成され、下枠上面２ａからの深さが１３．５ｍｍ、見込方向の幅が約１０ｍｍとなっている。室外側壁２３は、レール６の真下に位置しており、これにより障子１ａ，１ｂの荷重を受けやすい構造となっている。また、底壁２４は下枠底面２ｂから浮かせて設けてあり、底壁２４と下枠底面２ｂ間にリブ２６が設けてある。本下枠２は、垂下片案内溝８の底壁２４を造作材１３にネジ止めされるが、上記のように底壁２４を下枠底面２ｂから浮かせ、底壁２４と下枠底面２ｂ間にリブ２６を設けてあることで、ネジ２７を締め付けたときに底壁２４が変形するのを防止できる。
水平片９は、掘り込み部５の底壁２１と同じ高さに設けてあり、垂下片案内溝８の室外側壁２３より室内側に２．５ｍｍ突出している。水平片９の先端は、円弧状に形成してある。
【００１１】
本建具は、下枠２の水平片９と障子１ａ，１ｂの垂下片７との間、垂下片案内溝８の室内側壁２５と障子１ａ，１ｂの垂下片７との間にそれぞれ気密材１０ａ，１０ｂを有している。この２箇所の気密材１０ａ，１０ｂのうち、一方の気密材１０ａは垂下片７に設けてあり、他方の気密材１０ｂは下枠２に設けてある。図１に示す例では、下枠２の水平片９と障子１ａ，１ｂの垂下片７との間の気密材１０ａが、垂下片７の下端部より室外側に向けて設けられ、同気密材１０ａは中間部で上向き湾曲しており、先端部が水平片９の先端に室内側から当接している。垂下片案内溝８の室内側壁２５と障子１ａ，１ｂの垂下片７との間の気密材１０ｂは、垂下片案内溝８の室内側壁２５の上端部より斜め下向きに設けられ、その先端部が垂下片７の上下方向中間部に当接している。
【００１２】
次に、本建具の施工手順を説明する。まず、上枠１４と下枠２と左右の縦枠１５，１５を、枠組みしない状態で個々に造作材１３の内周側面にネジ２７で取付ける。下枠２を取付ける際、一方の気密材１０ａを障子１ａ，１ｂの垂下片７に設けたことで、下枠２の垂下片案内溝８が広く開いているため、ネジ止め作業がしやすい。その後、障子１ａ，１ｂを上下枠１４，２間に室内側からけんどんで建て込む。その際、下枠上面２ａの掘り込み部５が、上に向かうにつれて見込方向の幅が広くなっていることで、戸車３で下枠上面２ａを傷つけたりすることなく、戸車３をレール６と容易に係合させることができ、障子１ａ，１ｂの建て込みがしやすい。また、障子１ａ，１ｂの垂下片に設けた気密材１０ａは先端が上向きで、下枠２の垂下片案内溝８に設けた気密材１０ｂは先端が下向きのため、障子１ａ，１ｂの垂下片７を下枠の垂下片案内溝８に挿入する際に、気密材１０ａ，１０ｂが引っ掛かることがなく、挿入しやすい。その後、必要に応じて戸車３の高さ調整を行い、障子１ａ，１ｂの建てつけを調整する。下枠２の垂下片案内溝８に設けた気密材１０ｂが垂下片７の上下方向中間部に当接しているため、障子１ａ，１ｂが多少上に上がっても気密材１０ｂが垂下片７に当接した状態を維持できる。
【００１３】
以上に述べたように本建具は、下枠上面２ａに設けた掘り込み部５の室内側に戸車３の溝４が係合するレール６を有し、レール６の室内側に設けた垂下片案内溝８に障子１ａ，１ｂの垂下片７を案内し、レール６の上端を下枠上面２ａと略同じ高さにしたので、下枠上面２ａを略フラットにしながら、障子１ａ，１ｂの蛇行を防止できる。レール６の根元から垂下片案内溝８に向けて水平片９を有し、水平片９と障子１ａ，１ｂの垂下片７との間、垂下片案内溝８の室内側壁２５と障子１ａ，１ｂの垂下片７との間にそれぞれ気密材１０ａ，１０ｂを有するので、気密性が優れている。
障子１ａ，１ｂがスムーズに開閉できる状態を維持するため、掘り込み部５に入ったゴミは除去する必要があるが、掘り込み部５がレール６の室外側にしかなく、しかも掘り込み部５はごく浅いものであり、尚且つ上に向かうにつれて見込方向の幅が広くなっているため、雑巾で拭いたりほうきで掃いたりすることで、ゴミを簡単に除去できる。なお、レール６の室内側の水平片９上のゴミは、垂下片案内溝８に落せばよい。垂下片案内溝８の内側は、日常的に掃除する必要はなく、年に１回程度掃除するだけでよい。
本建具は、一方の気密材１０ａを障子１ａ，１ｂの垂下片７に設け、他方の気密材１０ｂを下枠２に設けたことで、垂下片案内溝８が広くなり、掃除がしやすい。
気密材１０ａ，１０ｂは、垂下片７に設ける場合は先端が上向きで、下枠２に設ける場合は先端が下向きとすることで、垂下片７を垂下片案内溝８に挿入する際に気密材１０ａ，１０ｂが引っ掛かることがなく、挿入しやすい。
本建具は、下枠上面２ａの掘り込み部５を、上に向かうにつれて見込方向の幅を広くしたことで、障子１ａ，１ｂを建て込む際に戸車３で下枠上面２ａを傷つけるのを防げるので、障子１ａ，１ｂの建て込みがしやすいと共に、掃除もしやすくなる。
本建具は、戸車４の外周側端４ａを下枠上面２ａと略同じ高さ又は下枠上面２ａより低い位置とすることで、レール６が戸車４で隠れるので、下枠２の上面はフラットな部分２ａしか見えない。
【００１４】
本発明は以上に述べた実施形態に限定されない。下枠の材質は、樹脂に限らず、アルミや、アルミと樹脂の複合であってもよい。気密材は、両方とも下枠側に設けることもできる。気密材は、垂下片や下枠と一体に設けてもよいし、別に形成したものを垂下片や下枠に取付けてもよい。本建具は、引違い窓に限らず、片引き窓にも適用することができ、また、腰窓と掃出し窓の何れにも対応できる。
【符号の説明】
【００１５】
１ａ  外障子（障子）
１ｂ  内障子（障子）
２  下枠
３  戸車
４  溝
５  掘り込み部
６  レール
７  垂下片
８  垂下片案内溝
９  水平片
１０ａ，１０ｂ  気密材
【図１】
2019127762.tif 000003
【図２】
2019127762.tif 000004
【図３】
2019127762.tif 000005